(57)【要約】【目的】粘着テープロール１２をスムーズに回転させることができ、しかも、ホルダ１４に対する粘着テープロール１２の脱着が容易な粘着式クリーナ１０を提供する。【構成】粘着テープロール１２の両端部に合成樹脂からなる第１軸受部材１６および第２軸受部材１８が装着され、軸受部材１６および１８の軸受孔１６ｅによってホルダ１４の回転軸２８が受けられる。ホルダ１４に粘着テープロール１２を装着する際には、軸受部材１６および１８のガイド部３２によって回転軸２８が軸受孔１６ｅへと導かれる。【選択図】　　　　図２
2004057602.tif 000002
【特許請求の範囲】
【請求項１】
中空円筒状の芯材に粘着テープが巻回された粘着テープロール、
前記粘着テープロールを軸方向から挟むようにして配置された２つの保持部と、前記保持部のそれぞれに互いに対向して設けられた２つの回転軸と、前記保持部のそれぞれと一体に形成された把手とを有するホルダ、
前記芯材の軸方向一方端部の中空部に嵌合される筒状の嵌合部と、一方の前記回転軸が回転自在に挿入される軸受孔と、一方の前記回転軸を前記嵌合部の径方向から前記軸受孔に導くガイド部とを有する第１軸受部材、および
前記芯材の軸方向他方端部の中空部に嵌合される筒状の嵌合部と、他方の前記回転軸が回転自在に挿入される軸受孔と、他方の前記回転軸を前記嵌合部の径方向から前記軸受孔に導くガイド部とを有する第２軸受部材を備える、粘着式クリーナ。
【請求項２】
前記把手は壁面に設けられた係止部材に係止される係止部を有し、各前記保持部は前記粘着テープロールの表面よりも突出した壁面当接部を有し、前記係止部材に前記係止部を係止させて前記ホルダを吊下げたときに各前記壁面当接部が前記壁面に当接される、請求項１に記載した粘着式クリーナ。
【発明の詳細な説明】
【０００１】
【産業上の利用分野】
この発明は、粘着テープロールを用いて塵を取り除くようにしたハンディタイプの粘着式クリーナに関する。
【０００２】
【従来の技術】
従来の粘着式クリーナの一例が、実開平３−３８０６６号公報に開示されている。この粘着式クリーナは、把手の両端に脚部を設け、各脚部に筒状の芯軸部を設け、各芯軸部を粘着テープロールの軸方向両端部の中空部に回転自在に嵌合したものである。
【０００３】
【発明が解決しようとする課題】
従来の粘着式クリーナ（実開平３−３８０６６号公報）では、筒状の芯軸部を粘着テープロールの中空部に嵌合するようにしていたので、芯軸部の外面と中空部の内面との摩擦抵抗が大きく、粘着テープロールをスムーズに回転させることができないという問題があった。
【０００４】
また、粘着テープロールを装着する際には、粘着テープロールの中空部に芯軸部を嵌め込む必要があるが、芯軸部を中空部に位置決めするのは容易ではなく、粘着テープロールの装着作業が困難であるという問題があった。
【０００５】
さらに、粘着テープロールを取り外す際には、脚部間の間隔を拡げて粘着テープロールの中空部から芯軸部を離脱させる必要があるが、脚部間の間隔を拡げるための特別な工夫はなされていなかったため、粘着テープロールの取外し作業が困難であるという問題もあった。
【０００６】
それゆえに、この発明の主たる目的は、粘着テープロールをスムーズに回転させることができ、しかも、粘着テープロールを容易に装着することができる、粘着式クリーナを提供することである。
【０００７】
この発明の他の目的は、粘着テープロールを容易に取り外すことができる、粘着式クリーナを提供することである。
【０００８】
【課題を解決するための手段】
請求項１に記載した発明は、「中空円筒状の芯材２０に粘着テープ２２が巻回された粘着テープロール１２、粘着テープロール１２を軸方向から挟むようにして配置された２つの保持部２６と、保持部２６のそれぞれに互いに対向して設けられた２つの回転軸２８と、保持部２６のそれぞれと一体に形成された把手３０とを有するホルダ１４、芯材２０の軸方向一方端部の中空部に嵌合される筒状の嵌合部１６ａと、一方の回転軸２８が回転自在に挿入される軸受孔１６ｅと、一方の回転軸２８を嵌合部１６ａの径方向から軸受孔１６ｅに導くガイド部３２とを有する第１軸受部材１６、および芯材２０の軸方向他方端部の中空部に嵌合される筒状の嵌合部１６ａと、他方の回転軸２８が回転自在に挿入される軸受孔１６ｅと、他方の回転軸２８を嵌合部１６ａの径方向から軸受孔１６ｅに導くガイド部３２とを有する第２軸受部材１８を備える、粘着式クリーナ１０」である。
【０００９】
この発明では、軸受部材１６および１８の軸受孔１６ｅによって回転軸２８が受けられる。したがって、回転軸２８と軸受孔１６ｅとの摩擦抵抗を小さくすることができる。また、ホルダ１４に粘着テープロール１２を装着する際には、軸受部材１６および１８のガイド部３２によって回転軸２８を軸受孔１６ｅに導くことができる。
【００１０】
請求項２に記載した発明は、請求項１に記載した発明において、「把手３０は壁面Ｗに設けられた係止部材３４に係止される係止部３０ｂを有し、各保持部２６は粘着テープロール１２の表面よりも突出した壁面当接部２６ｂを有し、係止部材３４に係止部３０ｂを係止させてホルダ１４を吊下げたときに各壁面当接部２６ｂが壁面Ｗに当接される」ことを特徴とする。
【００１１】
この発明では、粘着テープロール１２の表面よりも突出して形成された壁面当接部２６ｂが壁面Ｗに当接されるので、粘着テープロール１２の粘着面が壁面Ｗに付着する心配はない。また、各壁面当接部２６ｂを手で持って保持部２６間の間隔を強制的に拡げることができるので、回転軸２８を軸受孔１６ｅから容易に離脱させることができる。
【００１２】
【発明の実施の形態】
図１および図２を参照して、この発明が適用された粘着式クリーナ１０は、カーペット，衣服あるいはカーシート等に付着した塵を手早く取り除くことのできるハンディタイプの掃除具であり、粘着テープロール１２，ホルダ１４，第１軸受部材１６および第２軸受部材１８によって構成される。
【００１３】
粘着テープロール１２は、図２に示すように、紙等からなる中空円筒状の芯材２０と、芯材２０の表面に巻回された粘着テープ２２とを含み、粘着テープ２２の表面が粘着面とされる。また、粘着テープ２２には、一定間隔ごとに切取用のミシン目が形成される。
【００１４】
ホルダ１４は、ポリエチレン，ポリプロピレン，ＡＢＳまたはナイロン等のような合成樹脂の射出成形により一体に形成されるものであり、図２に示すように、連結部２４，２つの保持部２６，２つの回転軸２８および把手３０を含む。
【００１５】
連結部２４は、粘着テープロール１２よりもやや長めの底辺Ａを有する二等辺三角形状の本体２４ａを含み、本体２４ａの幅方向両端部から底辺Ａに対して直交する方向へ延びて脚部２４ｂが形成される。また、本体２４ａの幅方向中央部には、底辺Ａ側の側縁を切り欠くようにして略半円状の指掛部２４ｃが形成される。そして、各脚部２４ｂの先端部に保持部２６が互いに対向して形成され、本体２４ａの幅方向中央部から各脚部２４ｂとは反対の方向へ延びて把手３０が形成される。
【００１６】
各保持部２６は、粘着テープロール１２における芯材２０の外径よりもやや小さい外径を有する円盤状の本体２６ａを含み、本体２６ａには、連結部２４の脚部２４ｂが径方向から連結される。また、本体２６ａの周縁部には、粘着テープロール１２の表面よりも突出した壁面当接部２６ｂが脚部２４ｂに対して直交する方向へ延びて形成される。そして、各保持部２６の互いに対向する面の中央部には、円柱状の回転軸２８が形成される。
【００１７】
把手３０は、棒状の本体３０ａを含み、本体３０ａの先端部には、「係止部」としての係止孔３０ｂが形成され、本体３０ａの両側部には、人の手がフィットするように波状の凹凸部３０ｃが形成される。なお、「係止部」としては、係止孔３０ｂに代えて、フックや環状紐等が採用されてもよい。
【００１８】
第１軸受部材１６は、ポリエチレン，ポリプロピレン，ＡＢＳまたはナイロン等のような合成樹脂の射出成形により一体に形成されるものであり、図３に示すように、粘着テープロール１２における芯材２０の内径よりもやや小さい外径を有する筒状の嵌合部１６ａを含む。嵌合部１６ａの軸方向一方端部の外周面には、芯材２０の内径よりもやや大きく、かつ、芯材２０の外径よりもやや小さい外径を有する鍔１６ｂが形成され、嵌合部１６ａの外側面には、芯材２０の内面との摩擦抵抗を高めるための複数の突条１６ｃが軸方向へ延びて形成される。
【００１９】
そして、嵌合部１６ａの軸方向一方端部には、開口の径方向中央部において開口面積の略３分の１を閉塞する軸受板１６ｄが形成され、軸受板１６ｄの中央部（嵌合部１６ａの中心位置）には、回転軸２８が回転自在に挿入される軸受孔１６ｅが形成される。
【００２０】
また、軸受板１６ｄの背面には、板状の補強リブ１６ｆが軸受板１６ｄの側縁から嵌合部１６ａの軸方向へ延びて形成される。したがって、嵌合部１６ａの内部には、軸受板１６ｄの両側に２つ空部１６ｇが確保されることとなり、各空部１６ｇに指を挿入することによって補強リブ１６ｆを挟持することができる。
【００２１】
さらに、軸受板１６ｄの表面には、軸受板１６ｄの側縁から立ち上がって突条１６ｈが形成される。したがって、軸受板１６ｄの表面には、軸受板１６ｄと２本の突状１６ｈとによって、回転軸２８を嵌合部１６ａの径方向から軸受孔１６ｅへと導くガイド部３２が構成される。ガイド部３２の幅は、図３の平面図に示すように、嵌合部１６ａの中心部において軸受孔１６ｅの直径よりもやや大きく設定され、また、嵌合部１６ａの周縁部（すなわちガイド部３２の入口）に向かうにつれて広くなるように設定される。
【００２２】
第２軸受部材１８は、図２に示すように、芯材２０の軸方向他方端部の中空部に嵌合される筒状の嵌合部１６ａと、他方の回転軸２８が回転自在に挿入される軸受孔１６ｅと、他方の回転軸２８を嵌合部１６ａの径方向から軸受孔１６ｅへ導くガイド部３２とを含む。第２軸受部材１８の具体的構成は、第１軸受部材１６（図３）と同様であるため、対応する箇所には同一の符号を付して、重複する説明は省略する。
【００２３】
粘着テープロール１２をホルダ１４に装着する際には、図２に示すように、まず、粘着テープロール１２（芯材２０）の一方端部に第１軸受部材１６を嵌合し、粘着テープロール１２（芯材２０）の他方端部に第２軸受部材１８を嵌合する。続いて、ホルダ１４の各壁面当接部２６ｂを手で持って保持部２６間の間隔を強制的に拡げ、図４に示すように、各回転軸２８を各ガイド部３２の入口に位置決めする。そして、各回転軸２８を各ガイド部３２に沿わせて移動させ、これらを各軸受孔１６ｅに挿入する。
【００２４】
ホルダ１４は、ポリエチレン等のような合成樹脂によって形成されており、また、ホルダ１４の連結部２４には、略半円状の指掛部２４ｃが形成されているので、ホルダ１４は可撓性を有している。したがって、ホルダ１４を弾性変形させることにより保持部２６間の間隔を拡げる作業は容易である。
【００２５】
粘着テープロール１２をホルダ１４から取り外す際には、各保持部２６の壁面当接部２６ｂ（図１，図２）を手で持って保持部２６間の間隔を拡げ、各軸受孔１６ｅから各回転軸２８を離脱させる。そして、ホルダ１４から粘着テープロール１２を分離する。
【００２６】
そして、粘着式クリーナ１０を壁面Ｗに吊下げて保管する場合には、図５に示すように、係止孔３０ｂを壁面Ｗに設けられた係止部材３４に引っ掛ける。粘着式クリーナ１０を吊下げた状態では、ホルダ１４の壁面当接部２６ｂが壁面Ｗに当接され、粘着テープロール１２の表面（粘着面）が壁面Ｗから離されるため、粘着面が壁面Ｗに付着する心配はない。
【００２７】
この実施例によれば、ポリエチレン等のような合成樹脂からなる軸受部材１６および１８に軸受孔１６ｅを形成し、軸受孔１６ｅで回転軸２８を受けるようにしているので、軸受孔１６ｅと回転軸２８との摩擦抵抗は小さく、したがって、粘着テープロール１２をスムーズに回転させることができる。
【００２８】
また、各壁面当接部２６ｂを手で持って保持部２６間の間隔を強制的に拡げることができるので、ホルダ１４に対して粘着テープロール１２を容易に脱着させることができる。また、軸受部材１６および１８のガイド部３２によって各回転軸２８を各軸受孔１６ｅに導くことができるので、これによっても粘着テープロール１２を容易に装着することができる。
【００２９】
そして、粘着式クリーナ１０を使用する際には、ホルダ１４の指掛部２４ｃに指を引っ掛けて粘着式クリーナ１０を強く引くことができるので、粘着式クリーナ１０を楽に操作することができる。
【００３０】
さらに、粘着式クリーナ１０を壁面Ｗに吊下げて保管することができるので、保管場所に困るといった問題は生じない。
【００３１】
なお、「軸受部材」としては、上述した軸受部材１６および１８に代えて、図６に示すような軸受部材３６が用いられてもよい。この軸受部材３６では、ガイド部３８を構成する軸受板３８ｄの表面が嵌合部３８ａの中心に向かうにつれて外側へ突出するように湾曲（または傾斜）される。
【００３２】
したがって、この軸受部材３６によれば、図７に示すように、回転軸２８をガイド部３８に沿わせて移動させると同時に、軸受板３８ｄの表面で回転軸２８間の間隔を押し拡げることができ、各壁面当接部２６ｂ（図１，図２）を手で持って保持部２６間の間隔を拡げる作業を省くことができる。
【００３３】
そして、回転軸２８を案内するためには、図８に示すような４つの入口４０ａを有するガイド部４０や、図９に示すような６つの入口４２ａを有するガイド部４２等が採用されてもよい。ガイド部４０（図８）は、６本の突状４０ｈによって軸受板４０ｄの表面に４つの案内路を構成するとともに、指を挿入するための２つの空部４０ｇを確保したものであり、ガイド部４２（図９）は、開口の全体を閉塞した軸受板４２ｄの表面に６本の突状４２ｈによって６つの案内路を構成したものである。このように、入口の数を多くすると、入口に対して回転軸２８を位置決めする手間を軽減できるので、ホルダ１４に対して粘着テープロール１２をより簡単に装着することができる。
【００３４】
さらに、連結部２４に形成される指掛部２４ｃの数は適宜変更可能であり、たとえば図１０に示すように、略半円状の指掛部２４ｃを２つ並べて形成するようにしてもよい。
【００３５】
【発明の効果】
この発明によれば、軸受部材の軸受孔で回転軸を受けるようにしているので、粘着テープロールをスムーズに回転させることができる。また、各軸受部材のガイド部によって回転軸を軸受孔に導くことができるので、ホルダに対して粘着テープロールを簡単に装着することができる。
【００３６】
そして、粘着テープロールの表面よりも突出した壁面当接部を保持部に形成すると、粘着式クリーナを壁面に吊下げた場合でも、粘着テープロールの粘着面が壁面に付着するのを防止できる。また、各壁面当接部を手で持って保持部間の間隔を強制的に拡げることができるので、ホルダに対して粘着テープロールを簡単に脱着することができる。
【図面の簡単な説明】
【図１】この発明が適用された粘着式クリーナを示す斜視図である。
【図２】この発明が適用された粘着式クリーナを示す分解斜視図である。
【図３】軸受部材を示す図である。
【図４】粘着テープロールをホルダに装着する過程を示す図である。
【図５】粘着式クリーナを壁面に吊下げた状態を示す斜視図である。
【図６】軸受部材の変形例を示す図である。
【図７】図６の軸受部材を用いた粘着テープロールを装着する過程を示す図である。
【図８】ガイド部の変形例を示す図である
【図９】ガイド部の変形例を示す図である。
【図１０】ホルダの変形例を示す図である。
【符号の説明】
１０…　粘着式クリーナ
１２…　粘着テープロール
１４…　ホルダ
１６…　第１軸受部材
１６ａ…　嵌合部
１６ｅ…　軸受孔
１８…　第２軸受部材
２０…　芯材
２２…　粘着テープ
２６…　保持部
２６ｂ…　壁面当接部
２８…　回転軸
３０…　把手
３０ｂ…　係止部
３２…　ガイド部
３４…　係止部材
【図１】
2004057602.tif 000003
【図２】
2004057602.tif 000004
【図３】
2004057602.tif 000005
【図４】
2004057602.tif 000006
【図５】
2004057602.tif 000007
【図６】
2004057602.tif 000008
【図７】
2004057602.tif 000009
【図８】
2004057602.tif 000010
【図９】
2004057602.tif 000011
【図１０】
2004057602.tif 000012